(57)【要約】【課題】複数の角度検出機構を備えつつも小型な関節ユニットを提供すること。【解決手段】回転駆動される入力軸を支持する入力側支持部材と、入力軸を減速して減速出力軸を提供する減速機と、前記減速出力軸と結合されかつ前記減速出力軸により伝達される回転により歪みが生じる起歪部を有する出力回転体と、前記出力回転体の前記起歪部の後段部分に結合されて前記出力回転体と共に回転しかつ前記入力側支持部材と前記出力回転体の前記起歪部の前段部分との間の空間に配置された付属回転体とを備えた関節ユニットであって、前記付属回転体及び前記入力側支持部材には前記付属回転体と前記入力側支持部材とが為す角度を検出するための第１の角度検出機構が設けられかつ前記付属回転体及び前記出力回転体の前記起歪部の前段部分には、前記付属回転体と前記前段部分とが為す角度を検出するための第２の角度検出機構が設けられている関節ユニットが提供される。【選択図】図３
2019181623.tif 000002
【特許請求の範囲】
【請求項１】
回転駆動される入力軸を支持する、入力側支持部材と、
前記入力軸を減速して減速出力軸を提供する、減速機と、
前記減速出力軸と結合され、かつ、前記減速出力軸により伝達される回転により歪みが生じる起歪部を有する、出力回転体と、
前記出力回転体の前記起歪部の後段部分に結合されて前記出力回転体と共に回転し、かつ、前記入力側支持部材と前記出力回転体の前記起歪部の前段部分との間の空間に配置された、付属回転体と、を備えた関節ユニットであって、
前記付属回転体及び前記入力側支持部材には、前記付属回転体と前記入力側支持部材とが為す角度を検出するための第１の角度検出機構が設けられ、かつ、
前記付属回転体及び前記出力回転体の前記起歪部の前段部分には、前記付属回転体と前記前段部分とが為す角度を検出するための第２の角度検出機構が設けられている、関節ユニット。
【請求項２】
前記付属回転体は、平板形状を有しており、
前記付属回転体の一方の面と前記入力側支持部材には、前記第１の角度検出機構が設けられ、
前記付属回転体の他方の面と前記出力回転体の前記起歪部の前段部分には、前記第２の角度検出機構が設けられている、請求項１に記載の関節ユニット。
【請求項３】
前記第１の角度検出機構及び前記第２の角度検出機構は、いずれも、所定の磁気パターンが形成されたコードホイールを一方に取り付け、前記磁気パターンを読み取る磁気読取素子を前記磁気パターンへと対向するように他方へと取り付けることにより角度を検出する機構である、請求項１に記載の関節ユニット。
【請求項４】
前記第１の角度検出機構において、前記コードホイールは前記入力側支持部材へと固定され、かつ、前記読取素子は前記入力側支持部材へと固定された前記コードホイールと対向するように前記付属回転体へと固定され、
前記第２の角度検出機構において、前記コードホイールは前記前段部分へと固定され、かつ、前記読取素子は前記前段部分へと固定された前記コードホイールと対向するように前記付属回転体へと固定される、請求項３に記載の関節ユニット。
【請求項５】
前記入力側支持部材へと固定された前記コードホイールにおいて、前記磁気パターンは前記入力側支持部材の外周側面状に形成されており、
前記前段部分へと固定された前記コードホイールにおいて、前記磁気パターンは前記前段部分の外周側面状に形成されている、請求項４に記載の関節ユニット。
【請求項６】
前記入力側支持部材へと固定された前記コードホイールにおいて、前記磁気パターンは前記入力軸の回転方向に対して垂直な前記入力側支持部材の端面上に形成されており、
前記前段部分へと固定された前記コードホイールにおいて、前記磁気パターンは前記前段部分の回転軸と垂直な面上に形成されている、請求項４に記載の関節ユニット。
【請求項７】
前記第１の角度検出機構及び前記第２の角度検出機構は、いずれも、所定の光学パターンが形成されたコードホイールを一方に取り付け、発光素子及び受光素子を備え前記光学パターンを読み取る光学素子を前記光学パターンへと対向するように他方へと取り付けることにより角度を検出する機構である、請求項１に記載の関節ユニット。
【請求項８】
前記第１の角度検出機構において、前記コードホイールは前記入力側支持部材へと固定され、かつ、前記光学素子は前記入力側支持部材へと固定された前記コードホイールと対向するように前記付属回転体へと固定され、
前記第２の角度検出機構において、前記コードホイールは前記前段部分へと固定され、かつ、前記光学素子は前記前段部分へと固定された前記コードホイールと対向するように前記付属回転体へと固定される、請求項７に記載の関節ユニット。
【請求項９】
前記第１の角度検出機構及び前記第２の角度検出機構は、いずれも、発光素子と、所定の光学パターンが形成されたコードホイールと、前記発光素子から発され前記コードホイールを介して得られた光を受光して光学パターンを読み取る受光素子と、から成る角度検出機構であり、
前記第１の角度検出機構において、前記コードホイールは前記入力側支持部材へと固定され、
前記第２の角度検出機構において、前記コードホイールは前記前段部分へと固定され、
前記付属回転体は、前記入力側支持部材と前記出力回転体の前記起歪部の前段部分との間の空間に配置される平板部と、
前記平板部から延び前記入力側支持部材へと取り付けられた前記コードホイールを挟むように前記コードホイールの背面側に配置される第１の挟持片部と、
前記平板部から延び前記前段部分へと取り付けられた前記コードホイールを挟むように前記コードホイールの背面側に配置される第２の挟持片部と、を有し、
前記第１の角度検出機構において、前記発光素子は、前記平板部へと固定され、前記受光素子は、前記第１の挟持片部へと固定され、それにより、前記発光素子からの光は前記入力側支持部材へと固定された前記コードホイールを透過して前記受光素子に受光され、
前記第２の角度検出機構において、前記発光素子は、前記平板部へと固定され、前記受光素子は、前記第２の挟持片部へと固定され、それにより、前記発光素子からの光は前記前段部分へと固定された前記コードホイールを透過して前記受光素子に受光される、請求項１に記載の関節ユニット。
【請求項１０】
前記第２の角度検出機構の角度検出精度は、前記第１の角度検出機構の角度検出精度よりも高いように構成されている、請求項１に記載の関節ユニット。
【請求項１１】
前記第１の角度検出機構及び前記第２の角度検出機構のうちの一方は、磁気式の角度検出機構であり、他方は光学式の角度検出機構である、請求項１に記載の関節ユニット。
【請求項１２】
前記入力軸は、前記減速機の入力側部材へと連結されると共に前記入力側支持部材に支持され、
前記減速出力軸は、前記減速機の出力側部材に連結されると共に前記入力軸に支持され、
前記出力回転体は、前記減速出力軸へと結合されると共に前記入力側支持部材と対向し、
前記付属回転体は、前記入力側支持部材の前記出力回転体への対向面と前記出力回転体の前記入力側支持部材への対向面との間に配置されている、請求項１に記載の関節ユニット。
【請求項１３】
前記入力軸は、中空であって、
前記減速出力軸は、前記中空の入力軸の内部へと挿通されて前記入力軸の内面に対して支持される、請求項１２に記載の関節ユニット。
【請求項１４】
前記減速機は、波動歯車減速機である、請求項１２に記載の関節ユニット。
【請求項１５】
前記減速出力軸の前記出力回転体との結合端とは反対の他端側には、前記減速出力軸の回転を制動する所定の制動装置の取り付け部が設けられている、請求項１２に記載の関節ユニット。
【請求項１６】
前記入力軸の前記出力回転体との結合端とは反対の他端側には、前記入力支持部材に対する前記入力軸の回転角度を検出する第３の角度検出機構が設けられている、請求項１２に記載の関節ユニット。
【請求項１７】
前記出力回転体は、
前記減速出力軸とその中心で結合された小径環状部と、
前記小径環状部とその中心を同一にし、前記小径環状部から半径方向に延びる前記起歪部を介して前記小径環状部と結合された大径環状部と、から構成され、
前記大径環状部と前記小径環状部には、それぞれ半径方向に大径環状部側孔部と小径環状部側孔部が一直線上に設けられ、
前記小径環状部側孔部には固定具が固定されると共に前記固定具の頭部は前記固定具の外形よりも僅かに大きい内径を有する前記大径環状部側孔部へと内包され、それにより、前記出力回転体が回転して前記起歪体に歪みが生じた場合に前記固定具の頭部が前記大径環状部側孔部の内壁へと当接して前記歪みに対する制約となる、請求項１に記載の関節ユニット。
【請求項１８】
前記減速機は、ウェーブジェネレータと、フレックススプラインと、サーキュラスプラインとから成る波動歯車減速機であって、
前記入力軸は、中空であって、その一方の端部は前記ウェーブジェネレータへと連結され、かつ、第１のベアリングを介して前記入力側支持部材に支持され、
前記減速出力軸は、前記フレックススプラインの出力側に連結され、第２のベアリングを介して前記入力側支持部材に支持され、かつ、前記中空状の入力軸の内部へと挿通されて前記入力軸の前記端部とは逆側の端部近傍で前記入力軸に対して第３のベアリングにより支持されており、
前記第１のベアリング、前記第２のベアリング、及び、前記第３のベアリングは、いずれもシールドベアリングである、請求項１に記載の関節ユニット。
【請求項１９】
請求項１〜１８に記載の関節ユニットを所定の関節部に備えたロボットアーム。
【請求項２０】
請求項１〜１８に記載の関節ユニットを所定の関節部に備えたロボット。
【発明の詳細な説明】
【技術分野】
【０００１】
この発明は、例えば、ロボットアーム等の関節部に適用可能な関節ユニットに関する。
【背景技術】
【０００２】
近年、産業用などのロボットアームにおいては、限られた作業空間でも使用できるよう装置の小型化が望まれており、特に、関節ユニットの小型化が望まれている。
【０００３】
特許文献１には、中空型モータ、減速機、トルク伝達部等を有し、産業用ロボットのジョイントに使用可能な中空駆動モジュールが開示されている。
【先行技術文献】
【特許文献】
【０００４】
【特許文献１】特開２０１３−２１５０８１号公報
【発明の概要】
【発明が解決しようとする課題】
【０００５】
ところで、この種の関節ユニットにおいては、所望の制御や状態把握のため、入出力軸や減速機の前段又は後段に回転角度の検出を行う角度検出機構が設けられることがある。例えば、特許文献１に記載の中空駆動モジュールには、中空型モータの回転角度を検出する第１エンコーダと、減速機の出力回転角度を検出する第２エンコーダとが設けられている。
【０００６】
しかしながら、特許文献１に記載の中空駆動モジュールのように、複数の角度検出機構を単に連続配置する構造を採用すると、軸方向の厚みが増大し、それにより、関節ユニットの小型化の妨げとなることがあった。
【０００７】
本発明は、上述の技術的課題を解決するためになされたものであり、その目的とするところは、複数の角度検出機構を備えつつも小型化が実現された関節ユニットを提供することにある。
【課題を解決するための手段】
【０００８】
上述の技術的課題は、以下の構成を有する関節ユニット、ロボットアーム、及びロボットにより解決することができる。
【０００９】
すなわち、本発明に係る関節ユニットは、回転駆動される入力軸を支持する、入力側支持部材と、前記入力軸を減速して減速出力軸を提供する、減速機と、前記減速出力軸と結合され、かつ、前記減速出力軸により伝達される回転により歪みが生じる起歪部を有する、出力回転体と、前記出力回転体の前記起歪部の後段部分に結合されて前記出力回転体と共に回転し、かつ、前記入力側支持部材と前記出力回転体の前記起歪部の前段部分との間の空間に配置された、付属回転体と、を備えた関節ユニットであって、前記付属回転体及び前記入力側支持部材には、前記付属回転体と前記入力側支持部材とが為す角度を検出するための第１の角度検出機構が設けられ、かつ、前記付属回転体及び前記出力回転体の前記起歪部の前段部分には、前記付属回転体と前記前段部分とが為す角度を検出するための第２の角度検出機構が設けられている、ものである。
【００１０】
このような構成によれば、第１の角度検出機構と第２の角度検出機構において付属回転体を共用するので、複数の角度検出機構を備えつつも小型化が実現された関節ユニットを提供することができる。
【００１１】
前記付属回転体は、平板形状を有しており、前記付属回転体の一方の面と前記入力側支持部材には、前記第１の角度検出機構が設けられ、前記付属回転体の他方の面と前記出力回転体の前記起歪部の前段部分には、前記第２の角度検出機構が設けられている、ものであってもよい。
【００１２】
前記第１の角度検出機構及び前記第２の角度検出機構は、いずれも、所定の磁気パターンが形成されたコードホイールを一方に取り付け、前記磁気パターンを読み取る磁気読取素子を前記磁気パターンへと対向するように他方へと取り付けることにより角度を検出する機構であってもよい。
【００１３】
前記第１の角度検出機構において、前記コードホイールは前記入力側支持部材へと固定され、かつ、前記読取素子は前記入力側支持部材へと固定された前記コードホイールと対向するように前記付属回転体へと固定され、前記第２の角度検出機構において、前記コードホイールは前記前段部分へと固定され、かつ、前記読取素子は前記前段部分へと固定された前記コードホイールと対向するように前記付属回転体へと固定される、ものであってもよい。
【００１４】
前記入力側支持部材へと固定された前記コードホイールにおいて、前記磁気パターンは前記入力側支持部材の外周側面状に形成されており、前記前段部分へと固定された前記コードホイールにおいて、前記磁気パターンは前記前段部分の外周側面状に形成されている、ものであってもよい。
【００１５】
前記入力側支持部材へと固定された前記コードホイールにおいて、前記磁気パターンは前記入力軸の回転方向に対して垂直な前記入力側支持部材の端面上に形成されており、前記前段部分へと固定された前記コードホイールにおいて、前記磁気パターンは前記前段部分の回転軸と垂直な面上に形成されている、ものであってもよい。
【００１６】
前記第１の角度検出機構及び前記第２の角度検出機構は、いずれも、所定の光学パターンが形成されたコードホイールを一方に取り付け、発光素子及び受光素子を備え前記光学パターンを読み取る光学素子を前記光学パターンへと対向するように他方へと取り付けることにより角度を検出する機構であってもよい。
【００１７】
前記第１の角度検出機構において、前記コードホイールは前記入力側支持部材へと固定され、かつ、前記光学素子は前記入力側支持部材へと固定された前記コードホイールと対向するように前記付属回転体へと固定され、前記第２の角度検出機構において、前記コードホイールは前記前段部分へと固定され、かつ、前記光学素子は前記前段部分へと固定された前記コードホイールと対向するように前記付属回転体へと固定される、ものであってもよい。
【００１８】
前記第１の角度検出機構及び前記第２の角度検出機構は、いずれも、発光素子と、所定の光学パターンが形成されたコードホイールと、前記発光素子から発され前記コードホイールを介して得られた光を受光して光学パターンを読み取る受光素子と、から成る角度検出機構であり、前記第１の角度検出機構において、前記コードホイールは前記入力側支持部材へと固定され、前記第２の角度検出機構において、前記コードホイールは前記前段部分へと固定され、前記付属回転体は、前記入力側支持部材と前記出力回転体の前記起歪部の前段部分との間の空間に配置される平板部と、前記平板部から延び前記入力側支持部材へと取り付けられた前記コードホイールを挟むように前記コードホイールの背面側に配置される第１の挟持片部と、前記平板部から延び前記前段部分へと取り付けられた前記コードホイールを挟むように前記コードホイールの背面側に配置される第２の挟持片部と、を有し、前記第１の角度検出機構において、前記発光素子は、前記平板部へと固定され、前記受光素子は、前記第１の挟持片部へと固定され、それにより、前記発光素子からの光は前記入力側支持部材へと固定された前記コードホイールを透過して前記受光素子に受光され、前記第２の角度検出機構において、前記発光素子は、前記平板部へと固定され、前記受光素子は、前記第２の挟持片部へと固定され、それにより、前記発光素子からの光は前記前段部分へと固定された前記コードホイールを透過して前記受光素子に受光される、ものであってもよい。
【００１９】
前記第２の角度検出機構の角度検出精度は、前記第１の角度検出機構の角度検出精度よりも高いように構成されている、ものであってもよい。
【００２０】
前記第１の角度検出機構及び前記第２の角度検出機構のうちの一方は、磁気式の角度検出機構であり、他方は光学式の角度検出機構である、ものであってもよい。
【００２１】
前記入力軸は、前記減速機の入力側部材へと連結されると共に前記入力側支持部材に支持され、前記減速出力軸は、前記減速機の出力側部材に連結されると共に前記入力軸に支持され、前記出力回転体は、前記減速出力軸へと結合されると共に前記入力側支持部材と対向し、前記付属回転体は、前記入力側支持部材の前記出力回転体への対向面と前記出力回転体の前記入力側支持部材への対向面との間に配置されている、ものであってもよい。
【００２２】
前記入力軸は、中空であって、前記減速出力軸は、前記中空の入力軸の内部へと挿通されて前記入力軸の内面に対して支持される、ものであってもよい。
【００２３】
前記減速機は、波動歯車減速機であってもよい。
【００２４】
前記減速出力軸の前記出力回転体との結合端とは反対の他端側には、前記減速出力軸の回転を制動する所定の制動装置の取り付け部が設けられている、ものであってもよい。
【００２５】
前記入力軸の前記出力回転体との結合端とは反対の他端側には、前記入力支持部材に対する前記入力軸の回転角度を検出する第３の角度検出機構が設けられている、ものであってもよい。
【００２６】
前記出力回転体は、前記減速出力軸とその中心で結合された小径環状部と、前記小径環状部とその中心を同一にし、前記小径環状部から半径方向に延びる前記起歪部を介して前記小径環状部と結合された大径環状部と、から構成され、前記大径環状部と前記小径環状部には、それぞれ半径方向に大径環状部側孔部と小径環状部側孔部が一直線上に設けられ、前記小径環状部側孔部にはボルトが固定されると共に前記ボルトの頭部は前記ボルトの外形よりも僅かに大きい内径を有する前記大径環状部側孔部へと内包され、それにより、前記出力回転体が回転して前記起歪体に歪みが生じた場合に前記ボルトの頭部が前記大径環状部側孔部の内壁へと当接して前記歪みに対する制約となる、ものであってもよい。
【００２７】
前記減速機は、ウェーブジェネレータと、フレックススプラインと、サーキュラスプラインとから成る波動歯車減速機であって、前記入力軸は、中空であって、その一方の端部は前記ウェーブジェネレータへと連結され、かつ、第１のベアリングを介して前記入力側支持部材に支持され、前記減速出力軸は、前記フレックススプラインの出力側に連結され、第２のベアリングを介して前記入力側支持部材に支持され、かつ、前記中空状の入力軸の内部へと挿通されて前記入力軸の前記端部とは逆側の端部近傍で前記入力軸に対して第３のベアリングにより支持されており、前記第１のベアリング、前記第２のベアリング、及び、前記第３のベアリングは、いずれもシールドベアリングである、ものであってもよい。
【００２８】
前記第２の角度検出機構により取得された角度に基づいて、前記出力回転体の異常を検出する異常検出部をさらに備える、ものであってもよい。
【００２９】
また、本発明は上述の関節ユニットを備えたロボットアームとしても観念することができる。
【００３０】
さらに、本発明は上述の関節ユニットを備えたロボットとしても観念することができる。
【発明の効果】
【００３１】
本発明によれば、複数の角度検出機構を備えつつも小型な関節ユニットを提供することができる。
【図面の簡単な説明】
【００３２】
【図１】図１は、ロボットアームの外観図である。
【図２】図２は、関節が屈曲した状態のロボットアームの外観斜視図である。
【図３】図３は、関節ユニットの構造を示す断面図である。
【図４】図４は、関節ユニットの断面の部分拡大図である。
【図５】図５は、関節ユニットの部分分解斜視図である。
【図６】図６は、制動ユニットを取り付けた関節ユニットの構造を示す断面図である。
【図７】図７は、制動ユニットの分解斜視図である。
【図８】図８は、制動ユニットに関する動作説明図である。
【図９】図９は、変形例に係る関節ユニットの断面図である。
【図１０】図１０は、エンコーダの配置の変形例に関する説明図である。
【発明を実施するための形態】
【００３３】
以下、本発明の好適な実施の形態について添付の図１〜図１０を参照しつつ説明する。
【００３４】
＜１．第１の実施形態＞
＜１．１  ロボットアーム＞
まず、図１及び図２を参照しつつ、本実施形態に係る関節ユニット１００を関節部に適用したロボットアーム１について説明する。
【００３５】
図１は、ロボットアーム１の外観図であり、図１（ａ）は、ロボットアーム１の正面図、図１（ｂ）は、ロボットアーム１の斜視図である。同図から明らかな通り、ロボットアーム１は、断面円形状であり、ベース部材１０から先端のエンドエフェクタ取付部２６までの間に内部に７つの関節ユニット１００を有している。
【００３６】
ロボットアーム１の基端に配置されたベース部材１０の上端には、第１リンク１１が軸周りに回動自在に結合されており、ベース部材１０の内部には、第１リンク１１を軸周りに回動させる図示しない関節ユニット１００が配置されている。また、第１リンク１１は、図示しない関節ユニット１００を介して第２リンク１３へと回動可能に連結されており、第１リンク１１及び第２リンク１３の関節ユニット１００との結合部の外側面には、それぞれ第１カバー部材１２及び第２カバー部材１４が設けられている。第２リンク１３へと連結された第１連結部材１５の上端には、第３リンク１６が軸周りに回動自在に結合されており、第１連結部材１５の内部には、第３リンク１６を軸周りに回動させる図示しない関節ユニット１００が配置されている。また、第３リンク１６は、図示されない関節ユニット１００を介して第４リンク１８へと回動可能に連結されており、第３リンク１６及び第４リンク１８の関節ユニット１００との結合部の外側面には、それぞれ第３カバー部材１７及び第４カバー部材１９が設けられている。第４リンク１８へと連結された第２連結部材２０の上端には、第５リンク２１が軸周りに回動自在に結合されており、第２連結部材２０の内部には、第５リンク２１を軸周りに回動させる図示しない関節ユニット１００が配置されている。また、第５リンク２１は、図示されない関節ユニット１００を介して第６リンク２３へと回動可能に連結されており、第５リンク２１及び第６リンク２３の関節ユニット１００との結合部の外側面には、それぞれ第５カバー部材２２及び第６カバー部材２４が設けられている。第６リンク２３へと連結された先端リンク２５の上端には、ハンドやグリッパ等のエンドエフェクタと接続するためのエンドエフェクタ接続部２６が軸周りに回動自在に結合されており、先端リンク２５の内部には、エンドエフェクタ接続部２５を軸周りに回動させる図示しない関節ユニット１００が配置されている。
【００３７】
図２は、各関節において屈曲した状態のロボットアーム１について示した外観斜視図である。同図から明らかな通り、ロボットアーム１は、図示しない制御部の指令に応じてロボットアーム１の各関節部の内部に設けられた各関節ユニット１００を動作させることにより自在に各関節を屈曲させることができる。
【００３８】
なお、本実施形態においては、ロボットアーム１に設けられるすべての関節ユニット１００を同一のものとして記載したが、このような形態に限定されない。従って、例えば、構造は略同一のものとしつつも各関節のスペースや必要トルク等に応じて関節ユニット１００のサイズを夫々変更してもよい。
【００３９】
＜１．２  関節ユニット＞
次に、図３〜図５を参照しつつ、ロボットアーム１の内部に配置される関節ユニット１００について説明する。
【００４０】
図３は、関節ユニット１００の中央断面図である。同図から明らかな通り、関節ユニット１００は、概して言えば、中空の入力側支持部材（６０〜６２）と、中空の入力側支持部材（６０〜６２）の内部に配置される中空モータ（３１、３２）と、中空の入力側支持部材（６０〜６２）の内部において中空モータの中空ロータ３２に固定された中空回転軸３４と結合される減速機（３７〜３９）と、減速機（３７〜３９）の出力と連結され一端を中空回転軸３４の内面に支持される減速機出力軸３０と、減速機出力軸３０の他端と連結される出力回転体４４とから構成され、各部材はその中心又は回転中心を同一としている。なお、第１の入力側支持部材６０は、入力側のリンク（例えば、第１リンク１１）と直接又は間接に連結され、一方、出力回転体４４は、出力側のリンク（例えば、第２リンク１３）と直接又は間接に連結される。
【００４１】
入力側支持部材（６０〜６２）は、中空モータ（３１、３２）及び減速機出力軸３０を支持する第１の入力側支持部材６０と、減速機（３７〜３９）と減速機出力軸３０と出力回転体４４を支持する第２の入力側支持部材６２とをボルト６１を介して連結することにより構成されている。なお、第１の入力側支持部材６０の外側面からは柱状延長部材９５が突出しており、当該柱状延長部材９５の先端面には、磁気式エンコーダの一部を為す、後述する第３のコードホイール９０上に形成された所定の磁気パターンを読み取る第３の磁気読取素子９６が設けられており、これにより第１の入力側支持部材６０に対する中空ロータ３２の回転角度を検出することができる。
【００４２】
中空モータ（３１、３２）は、第１の入力側支持部材６０の内周に固定されたステータ３１と、ステータ３１の内側に配置されて回転する中空ロータ３２とから構成され、中空ロータ３２のさらに内周側には、中空回転軸３４が固定され、当該中空回転軸３４は中空ロータ３２と共に回転する。このとき、中空回転軸３４は、中空モータ（３１、３２）と減速機（３７〜３９）との間に第１のシールドベアリング３５を介して第１の入力側支持部材６０に支持されている。また、中空回転軸３４の端部の外側面には、磁気式エンコーダの一部を為す、所定の磁気パターンが形成された第３のコードホイール９０が備えられている。さらに、中空回転軸３４の端部には、他の装置の取り付け用の孔部９１が設けられており、例えば、制動ユニット等を後付けできるように構成されている。なお、中空ロータ３２と第１のシールドベアリングとの間には所定のスペーサ部材３３が設けられている。
【００４３】
減速機（３７〜３９）は、ハーモニックドライブ（登録商標）であり、中央に配置されるウェーブジェネレータ３７と、ウェーブジェネレータ３７の外周上に配置されるカップ状のフレックススプライン３８と、フレックススプライン３８の外周上に配置され第２の入力側支持部材６２の内周側にボルト６３を介して固定されたサーキュラスプライン３９とから構成されている。ウェーブジェネレータ３７は中空回転軸３４の一端とボルト３６を介して連結され、減速機（３７〜３９）の出力となるフレックススプライン３８は減速機出力軸３０の一端とボルト４０を介して連結されている。
【００４４】
出力回転体４４は、中央に孔部４４３を有する小径環状部４４４と、小径環状部４４４から半径方向に延び出力回転体４４の回転に伴って歪みが生じる起歪部４４１を介して小径環状部４４４と連結される大径環状部４４５とから構成されており（図５を参照）、小径環状部４４４は、減速機出力軸３０の一端とボルト４３を介して連結されている。このとき、減速機出力軸３０とフレックススプライン３８との結合部近傍において、減速機出力軸３０は、第２の入力側支持部材６２の内面側に第２のシールドベアリング６８を介して支持される。出力回転体４４は、クロスローラベアリング４５を介して第２の入力側支持部材６２の外周上に回転可能に支持されている。このクロスローラベアリング４５は、ボルト６４を介して第２の入力側支持部材６２の段部に固定された第１のストッパ部材６５と、出力回転体４４の内周側段部に固定された第２のストッパ部材４６の間に挟持されて固定されている。
【００４５】
出力回転体４４の小径環状部４４４と連結された減速機出力軸３０は、減速機（３７〜３９）のウェーブジェネレータ３７及び中空回転軸３４の内部を通じた後、小径環状部４４４との連結部とは反対の端部近傍において、中空回転軸３４の端部近傍の内周面に第３のシールドベアリング９２を介して支持されている。この端部において、軸部材に設けられた段部に固定された環状体９４がスペーサ９３へと当接して軸方向の変位が制約されている。
【００４６】
第２の入力側支持部材６２の前記出力回転体４４側の端部には、磁気式エンコーダの一部を為し、所定の磁気パターンが形成された第１のコードホイール６６が設けられており、また、第２の入力側支持部材６２の前記出力回転体４４側の端部に対向する出力回転体４４の内面側の端部にも、同様に、磁気式エンコーダの一部を為し、所定の磁気パターンが形成された第２のコードホイール４８が設けられている。一方、出力回転体４４の大径環状部４４５の減速機出力軸３０との結合面側には、前記第１のコードホイール６６と第２のコードホイール４８の間に配置され大径環状部４４５と共に回転する環状薄板８０が結合されている。
【００４７】
この環状薄板８０の第２のコードホイール４８へと対向する面上には、ホール素子等から成りそれぞれ円周上で１２０度をなすように配置された３つの磁気読取素子８１が設けられている（図５参照）。また、環状薄板８０の第１のコードホイール６６へと対向する面上には、１つの磁気読み取り素子８１が設けられている。
【００４８】
すなわち、第１のコードホイール６６及び第２のコードホイール４８と、薄板８０の表裏両面に設けられた磁気読取素子８１との間で、磁気式エンコーダが形成され、これにより、第２の入力側支持部材６２に対して大径環状部４４５が為す角度と、小径環状部４４４に対して大径環状部４４５が為す角度を検出することができる。
【００４９】
上記の互いに１２０度を為すように３つの磁気読取素子８１を設ける構成によれば、各磁気読取素子８１の検出値の相加平均を採ることにより、軸の曲げ等の影響を低減した正確な角度検出が可能となる。
【００５０】
また、上記の構成においては、小径環状部４４４に対して大径環状部４４５が為す角度のように検出精度が必要な場合には複数の角度検出子を設け、一方、第２の入力側支持部材６２に対して大径環状部４４５が為す角度のように大きな角度変化が予め想定される場合には、１つの角度検出子が設けてられている。このような構成によれば、必要な精度に応じて必要十分にセンサを配置できるので経済的な設計を行うことができる。
【００５１】
なお、本実施形態においては、環状薄板８０の表面と裏面とで異なる数の磁気読み取素子８１を設ける構成としたが、このような構成に限定されない。従って、例えば、両面に３つの磁気読取素子を設けてもよいし、両面に１つの磁気読取素子を設けても良い。
【００５２】
図４及び図５を参照しつつ、さらに、エンコーダを為す構成について説明する。図４は、出力回転体４４と第２の入力側支持部材６２との間に設けられるエンコーダ部分を中心とした部分拡大断面図であり、図５は、特にエンコーダを為す構成について表した部分分解斜視図である。なお、図４は、理解の容易化のため、大径環状部４４５への環状薄板８０の固定部８２を含むように切断されており、図３の切断面とは異なることに留意されたい。
【００５３】
図４及び図５から明らかな通り、環状薄板８０の第２のコードホイール４８と対向する面上には、各磁気読取素子８１と６０度程度ずらした位置に互いに１２０度を為すように３つの固定部８２が設けられ、固定部８２と大径環状部４４５の内周側のリブに設けられる貫通孔部４４２とを整合させてボルト８４により固定することで大径環状部４４５と環状薄板８０とは一体的に回転する。また、環状薄板８０上には、他に信号接続用のコネクタ８３も設けられている。
【００５４】
なお、本実施形態においては、環状薄板８０の表面と裏面とでは、各磁気読取素子８１の位置が表裏で一致することはなく、一定程度（例えば、６０度）ずらして配置されている。このような構成によれば、磁気読取素子８１の背面側の環状薄板８０に設けられるサーマルビア等の放熱機構等が互いに干渉することがない。
【００５５】
以上のような構成によれば、第２の入力側支持部材６２に対して大径環状部４４５が為す角度を検出することができるので、例えば、負荷がかかった状態における関節の絶対角度の検出や、中空モータ（３１、３２）や減速機（３７〜３９）等の異常検知等を行うことができる。一方、小径環状部４４４に対して大径環状部４４５が為す角度を検出することができるので、例えば、出力回転体４４へと負荷されるトルクの算出や出力回転体４４の異常検知等を行うことができる。
【００５６】
また、以上の構成によれば、ハーモニックドライブ（登録商標）（３７〜３９）は、第１のシールドベアリング３５、第２のシールドベアリング６８及び第３のシールドベアリング９２に挟まれて配置されている。従って、ハーモニックドライブ（登録商標）（３７〜３９）に用いられるグリスが関節ユニット１００の外へと漏出することを防止することができる。また、オイルシール等を用いずにシールドベアリングにより漏出防止を行うので、オイルシールにより生じる各回転体に対する摩擦等の心配がない。
【００５７】
なお、減速機はハーモニックドライブ（登録商標）に限定されず、他の波動歯車減速機であってもよい。
【００５８】
＜２．第２の実施形態＞
次に、図６〜図８を参照しつつ、第２の実施形態について説明する。第２の実施形態においては、第１の実施形態に係る関節ユニット１００に対してさらに制動ユニット２００が取り付けられる。なお、第２の実施形態において、第１の実施形態と同一の構成については同一の符号が付されている。
【００５９】
図６は、制動ユニット２００を取り付けた関節ユニット１００の構造を示す断面図である。同図から明らかな通り、関節ユニット１００の中空回転軸３４の端部の孔部９１には制動ユニット２００が取り付けられ、第１の入力側支持部材６０及び制動ユニット２００の外側面は、さらにハウジング３００により被覆されている。
【００６０】
図６及び図７を参照しつつ、制動ユニット２００の構成について説明する。図７は制動ユニット２００の分解斜視図である。同図から明らかな通り、制動ユニット２００は、中空回転軸３４の一端に連結孔部２０２３を介して連結されその中央に孔部２０２５を有し表面に摩擦要素２０２１を備える摩擦板２０２と、中央に孔部２０１５を有し駆動部２０４及びハウジング３００に固定される環状固定プレート２０１と、中央に孔部２０３５を有しその軸方向への移動により摩擦板２０２を環状固定プレート２０１の表面へと押し当てる環状可動プレート２０３、及び、中央に孔部２０４５を有し環状固定プレート２０１と円周部近傍の結合部２０４１、結合孔２０１２を介してボルト２０１１により結合され環状可動プレート２０１を内部に格納された電磁石により駆動する駆動部２０４とから構成されている。なお、駆動部２０４と環状可動プレート２０３との間にはバネ部材２０４２が配置され、無磁力状態においては、摩擦板２０２は環状固定プレート２０１へと押し当てられるよう負勢されている。すなわち、環状固定プレート２０１と駆動部２０４との間で環状可動プレート２０３が移動して中空回転軸３４の端部に備え付けられ摩擦板２０２を環状固定プレート２０１へと選択的に押し当て、それにより、減速前出力たる中空回転軸３４の回転を選択的に制動することとなる。
【００６１】
図８は、制動ユニット２００を用いた中空回転軸３４の回転制動動作に関する説明図である。
【００６２】
図８（ａ）は、制動ユニット２００の駆動部２０４がオフの状態で無磁力状態となったときの状態について示している。同図から明らかな通り、無磁力状態において、環状可動プレート２０３はバネ部材２０４２により摩擦板２０２へと押し当てられ、これにより、中空回転軸３４は制動されている。
【００６３】
図８（ｂ）は、制動ユニット２００の駆動部２０４がオンの状態で、駆動部内の電磁石により環状可動プレート２０３が駆動部２０４へと引き付けられている状態について示している。同図から明らかな通り、駆動部２０４がオンの状態において、環状可動プレート２０３は負勢されたバネ部材２０４２の力に抗って駆動部２０４へと引き付けられており、これにより、摩擦板２０２は無負荷状態となり中空回転軸３４と共に回転する。すなわち、中空回転軸３４について制動がされていない状態となる。
【００６４】
このような構成によれば、関節ユニット１００の出力回転体４４とは反対側の端部から中空回転軸３４が突出しているので、容易に制動ユニット２００等を後付けすることができる。
【００６５】
＜３．変形例＞
本発明は上述の実施形態に限定されるものではなく、従って、例えば、以下の通り種々の変形が可能である。
【００６６】
＜３．１  出力回転体に関する変形例＞
図９は、変形例に係る説明図であり、特に、トルクリミッタ構造を備えた関節ユニット１００の断面図である。なお、同図において第１の実施形態と同一の構成については同一の符号が付されている。
【００６７】
同図から明らかな通り、出力回転体４４の小径環状部４４４は半径方向に延長され当該延長部４４６にはボルト４４７固定用の螺子切りがされている。また、大径環状部４４５の周側面には半径方向にボルト４４７の外径より僅かに大きい内径を有する貫通孔４４８が設けられている。この状態においてボルト４４７を貫通孔４４８から挿入して延長部４４６へと固定すると、ボルト４４７の螺子切り部が小径環状部４４４へと固定されると共にボルト４４７の頭部側面が貫通孔４４８内周面に接触しない状態で配置されることとなる。
【００６８】
このような構成によれば、出力回転体４４が回転して起歪部４４１に歪みが生じた場合であっても、所定以上の歪みが生じた場合には、ボルト４４７が傾いてその頭部が貫通孔４４８の内周面に当接し、これにより所定以上の変形を抑制するトルクリミッタ構造が簡易な構造で実現されることとなる。
【００６９】
＜３．２  エンコーダ配置に関する変形例＞
図１０は、エンコーダの配置の変形例に関する説明図である。なお、同図において第１の実施形態と同一の構成については同一の符号が付されている。
【００７０】
図１０（ａ）は、変形例（その１）に関する説明図である。本変形例においては、環状薄板の中央には鉄板等の磁気シールド部材８０４が設けられ、その表裏には、第１環状薄板８０２及び第２環状薄板８０３が接合されている。
【００７１】
このような構成によれば、第１環状薄板８０２に取り付けられる磁気読取素子８０１、第２環状薄板８０３に取り付けられる磁気読取素子８０１は、互いの裏面の磁気の影響を受けることがないので、例えば出力回転体４４と第２の入力側支持部材６２との間の隙間が非常に小さい場合であっても、精度よくコードホイール４８、６６上の磁気パターンの検出を行うことができる。
【００７２】
図１０（ｂ）は、アキシャル型の磁気式エンコーダに代えて、ラジアル型の磁気式エンコーダを使用した場合の構成の部分断面図である。同図から明らかな通り、環状薄板８０６の円周部近傍は断面Ｔ字形状を有しており、当該Ｔ字の短辺の内周側の左右には、それぞれ、第１の磁気読取素子８０７及び第２の磁気読取素子８０８が配置されている。また、出力回転体４４の端部外周面には第１の磁気読取素子８０７と対向して第１のコードホイール８０９が設けられ、第２の入力側支持部材６２の端部外周面には第２の磁気読取素子８０８と対向して第２のコードホイール８１０が設けられている。
【００７３】
このような構成によれば、第２の入力側支持部材６２に対して大径環状部４４５が為す角度と、小径環状部４４４に対して大径環状部４４５が為す角度を検出することができる。
【００７４】
また、上述の実施形態においては、磁気式エンコーダを利用するものとして説明した。しかしながらエンコーダの種類は磁気式に限定されず、例えば、光学式であってあってもよい。
【００７５】
図１０（ｃ）は、光学式のうち特に透過式エンコーダを用いた場合の構成の部分断面図である。環状薄板８１２の円周部近傍は左右に折り返し形状を有しており、折り返し形状の左右の折り返し端部には、それぞれ、第１の受光素子８１５及び第２の受光素子８１６が配置されている。環状薄板８１２の表裏両面には、第１の受光素子８１５及び第２の受光素子８１６と対面するように、第１の発光素子８１７及び第２の発光素子８１８が設けられている。また、出力回転体４４の端部外周上には第１のコードホイール（スリット円板）８１９が設けられ、第２の入力側支持部材６２の端部外周上には第２のコードホイール（スリット円板）８２０が設けられている。すなわち、第１の発光素子８１７及び第２の発光素子８１８から発せられた光は、第１のコードホイール８１９及び第２のコードホイール８２０を介して第１の受光素子８１５及び第２の受光素子８１６において受光され、これにより角度検出が行われる。
【００７６】
このような構成によれば、高精度に、他の磁気の影響等も受けることなく、角度検出を行うことができる。
【００７７】
図１０（ｄ）は、光学式のうち特に反射式エンコーダを用いた場合の構成の部分断面図である。環状薄板８２０の円周部近傍の表裏には、それぞれ、発光素子と受光素子とを含む第１の光学素子８２１と、発光素子と受光素子とを含む第２の光学素子８２２が備えられている。出力回転体４４の端部には、第１の光学素子８２１へと対向するように反射部と非反射部から成る光学パターンが形成された第１のコードホイール８２３が設けられ、第２の入力側支持部材６２の端部には、第２の光学素子８２２へと対向するように反射部と非反射部から成る光学パターンが形成された第２のコードホイール８２４が設けられている。すなわち、第１の光学素子８２１及び第２の光学素子８２２から発せられた光は、第１のコードホイール８２３及び第２のコードホイール８２４により反射され、第１の光学素子８２１及び第２の光学素子８２２において受光され、これにより角度検出が行われる。
【００７８】
このような構成によれば、高精度に、他の磁気の影響等も受けることなく、しかもコンパクトに角度検出を行うことができる。
【００７９】
なお、環状薄板８０の一方の面に配置される角度検出機構を磁気式の角度検出機構とし、他方の面に配置される角度検出機構を光学式の角度検出機構とする等、異なる角度検出機構を組み合わせてもよいことは勿論である。
【００８０】
＜３．３  その他＞
上述の実施形態においては、関節ユニット１００は、ロボットアーム１の関節部に使用されるものとして説明した。しかしながら、このような構成に限定されることはなく、例えば、ロボットアーム１の関節部以外の部位に使用してもよいし、ロボットアーム１以外の他のロボット等の装置に適用してもよい。
【００８１】
本発明に係る関節ユニット、ロボットアーム及びロボットは、その構成を上記各実施形態に限定されるものではなく、本発明の要旨を逸脱しない範囲で構成を適宜変更することが可能である。
【産業上の利用可能性】
【００８２】
本発明に係る関節ユニットは、例えば、家庭用又は産業用ロボット等を製造する産業において利用可能である。
【符号の説明】
【００８３】
１  ロボットアーム
３０  減速機出力軸
３１  ステータ
３２  中空ロータ
３４  中空回転軸
３７  ウェーブジェネレータ
３８  フレックススプライン
３９  サーキュラスプライン
４４  出力回転体
４８  第２のコードホイール
６０  第１の入力側支持部材
６２  第２の入力側支持部材
６６  第１のコードホイール
８０  環状薄板
８１  磁気読取素子
１００  関節ユニット
２００  制動ユニット
３００  ハウジング
【図１】
2019181623.tif 000003
【図２】
2019181623.tif 000004
【図３】
2019181623.tif 000005
【図４】
2019181623.tif 000006
【図５】
2019181623.tif 000007
【図６】
2019181623.tif 000008
【図７】
2019181623.tif 000009
【図８】
2019181623.tif 000010
【図９】
2019181623.tif 000011
【図１０】
2019181623.tif 000012